(57)【要約】【課題】十字状或いはＴ字状他、各種形状の支持片によってパックを懸架し、パックの底をトレーの底面から浮かし、このことによってパックに詰めた苺等青果が自重で押し潰されることなく、苺等青果に高級志向、ブランド志向、或いは差別感をもたらすようにしたトレーを提供する。【解決手段】１枚の段ボール（１００）に底面（１）、一対の前後側壁（３）及び一対の左右側壁（２、２）を備え、これらの側壁が前記底面（１）を四方から囲むように直立し、この囲みにパック（７００）が装着されるトレー（６００）であって、前記左右側壁（２、２）から十字状、或いは逆Ｔ字状の支持片がトレーの内側へ突設されることを特徴とするトレーである。【選択図】図１１
2011131925.tif 000002
【特許請求の範囲】
【請求項１】
１枚の段ボール（１００）に底面（１）、一対の前後側壁（３）及び一対の左右側壁（２、２）を備え、
これらの側壁が前記底面（１）を四方から囲むように直立し、
この囲みにパック（７００）が装着されるトレー（６００）であって、
前記左右側壁（２、２）から十字状、或いは逆Ｔ字状の支持片がトレーの内側へ突設されることを特徴とするトレー。
【請求項２】
前記前後側壁（３）の端部に補助片（４）を備え、
この補助片（４）は前記前後側壁（３）の端部から内側へ折れた状態で前記左右側壁（２、２）の中に挟着され、
前記パック（７００）の周縁を支える支持片の一つは前記補助片（４）に固着され、
かつ、前記左右側壁（２、２）に備える折り目（Ｊ、Ｊ）を介してトレーの内側へ十字状に突設されることを特徴とする請求項１記載のトレー。  
【請求項３】
前記支持片の一つは支持片（５）であり、
この支持片（５）は第一片（５１）と第二片（５２）とが十字状に交差し、
前記第一片（５１）はトレーの内側へ向くとともに前記第二片（５２）はこれと直交し、
前記第一片（５１）には内側の先端辺（５１１）と反対側の先端辺（５１２）を備え、
かつ、前記第一片（５１）と第二片（５２）とが交差する角部に湾曲部（５３）、（５３）を備えることを特徴とする請求項２記載のトレー。
【請求項４】
前記補助片（４）の先端部に溝（４２）を備え、
この溝（４２）に前記先端辺（５１２）が嵌着されることを特徴とする請求項２叉は３記載のトレー。
【請求項５】
前記パック（７００）は、前記先端辺（５１１）及び前記湾曲部（５３）によって支持されることを特徴とする請求項１又は３記載のトレー。
【請求項６】
前記パック（７００）の周縁を支える支持片の一つは、
前記左右側壁（２、２）に備える折り目（Ｒ、Ｑ）を介してトレーの内側へ逆Ｔ字状に突設されることを特徴とする請求項１記載のトレー。
【請求項７】
前記支持片の一つは支持片（７）であり、
この支持片（７）は第一片（７１）と第二片（７２）とが交差し、
前記第一片（７１）は内側へ向くとともに前記第二片（７２）はこれと直交し、
かつ、前記第一片（７１）と前記第二片（７２）とが交差する両側に先端辺（７２１、７２１）を備えることを特徴とする請求項６記載のトレー。
【請求項８】
前記第一片（７１）は、
前記左右側壁（２、２）に備える折り目（Ｎ）の部位から折れて前記底面（１）側へ傾斜し、
かつ、他端は折り目（Ｒ）を備え、この折り目（Ｒ）を介して前記第二片（７２）と連接し、
この前記第二片（７２）の他端は前記左右側壁（２、２）に備える折り目（Ｑ）を備え、
連接する前記第一片（７１）と前記第二片（７２）は、
前記折り目（Ｒ）をトレーの内側へ向けて断面くの字に折れ曲がることを特徴とする請求項６叉は７記載のトレー。
【請求項９】
前記パック（７００）は、前記先端辺（７２１）によって支持されることを特徴とする請求項１又は７記載のトレー。
【発明の詳細な説明】
【技術分野】
【０００１】
本発明は、１枚の段ボールから折り上げられたトレーであって、仕切り区画毎に青果等用のパック受けを形成させた苺等青果用トレーに関する。詳しくは、複数の仕切り区画毎に、青果用のパック受け台を形成してパックを懸架し、パックの底面をトレーの底面から浮かすことにより、苺等青果が自重で潰されて傷むことが無いようにしたトレーであって、高級志向、ブランド志向、或いは差別感をもたらすようにした苺等青果用のトレーに関する。
【背景技術】
【０００２】
本件出願人は、苺パック用トレーについて、パックの底を浮かせることなく、トレーの底面にパックを直置きするトレーを、先に提案している（特許文献１、２）。その他、以下に述べるような直置き型のトレーが使用されている。図１５（ａ）にトレーの一区画に、パックを載置した状態を示し、図（ｂ）にパックの上に載せるマットを示す。ここで、パックは例えば薄いＰＥＴ樹脂を凹み状に成形した青果物等を入れる容器であり、マットは例えばフイルム状のポリエチレン樹脂をパックの凹みに合わせて成形した敷物である。この場合、トレー６００Ｃの左右の側壁から突き出た左右の分割片１０、１０によって、トレー６００Ｃは上下に仕切られ、例えばこの一区画にパック７００を載置する。ここで、パック７００をトレー６００Ｃの底面１の上に直かに置くので、パックの底７０１がトレー６００Ｃの底面１に面で接触する。そして、図（ａ）には示さないが、図（ｂ）に示すマット８００をパック７００の底７０１の上に置き、この上に例えば苺を入れる。このように、苺が傷まないようにマットを敷いてその上に苺を入れるが、パックの底がトレーの底に直接接触しているので、苺等青果の自重によって苺が潰れて傷む。
【０００３】
【特許文献１】特開平９−３０９５２４号公報
【特許文献２】特開平１０−３２９８２３号公報
【発明の開示】
【発明が解決しようとする課題】
【０００４】
以上の通りであって、特許文献に代表されるように、従来の苺パック用のトレーには次のような問題点がある。
【０００５】
前述したトレーの底面にパックを直か置きする例では、苺等青果の重みが、直接青果自体にかかるので、パックの中で青果が押し潰されて傷む等の問題を抱えていた。そして、このことにより店頭に並ぶ苺等青果の高級感が欠如するものとなった。また、パックの他に傷み防止のためにマットを必要としコスト高になった。
【０００６】
本発明の中仕切りを備えたトレーは、このような従来の抱える問題点を解決するためになされたもので、十字或いはＴ字状他の各種形状の支持片によってパックを懸架してパックの底をトレーの底面から浮かし、このことによってパックに詰めた苺等青果が自重で押し潰される恐れが無く、苺等青果に高級志向、ブランド志向、或いは差別感をもたらすようにしたトレーを提供することを目的とする。
【課題を解決するための手段】
【０００７】
そこで、本発明者等は、トレーの底面に対し、直接、青果等の重みが掛かるのを避けるためにパックの底を浮かせることに着目し、この着想に基づき試作したところ、下段の苺が傷まないといいう知見を得た。本発明の中仕切りを備えたトレーかかる知見を基に具現化したもので、請求項１の発明は、１枚の段ボール（１００）に底面（１）、一対の前後側壁（３）及び一対の左右側壁（２、２）を備え、これらの側壁が前記底面（１）を四方から囲むように直立し、この囲みにパック（７００）が装着されるトレー（６００）であって、前記左右側壁（２、２）から十字状、或いは逆Ｔ字状の支持片がトレーの内側へ突設されることを特徴とするである。請求項２の発明は、請求項１の発明の上記特徴に加えて、ことを特徴とするトレーである。前記前後側壁（３）の端部に補助片（４）を備え、この補助片（４）は前記前後側壁（３）の端部から内側へ折れた状態で前記左右側壁（２、２）の中に挟着され、前記パック（７００）の周縁を支える支持片の一つは前記補助片（４）に固着され、かつ、前記左右側壁（２、２）に備える折り目（Ｊ、Ｊ）を介してトレーの内側へ十字状に突設されることを特徴とするトレーである。請求項３の発明は、請求項２の発明の上記特徴に加えて、前記支持片の一つは支持片（５）であり、この支持片（５）は第一片（５１）と第二片（５２）とが十字状に交差し、前記第一片（５１）はトレーの内側へ向くとともに前記第二片（５２）はこれと直交し、前記第一片（５１）には内側の先端辺（５１１）と反対側の先端辺（５１２）を備え、かつ、前記第一片（５１）と第二片（５２）とが交差する角部に湾曲部（５３）、（５３）を備えることを特徴とするトレーである。請求項４の発明は、請求項２叉は３の上記特徴に加えて、前記補助片（４）の先端部に溝（４２）を備え、この溝（４２）に前記先端辺（５１２）が嵌着されることを特徴とするトレーである。請求項５の発明は、請求項１又は３の上記特徴に加えて、ことを特徴とするトレーである。前記パック（７００）は、前記先端辺（５１１）及び前記湾曲部（５３）によって支持されることを特徴とするトレーである。請求項６の発明は、請求項１の上記特徴に加えて、前記パック（７００）の周縁を支える支持片の一つは、
前記左右側壁（２、２）に備える折り目（Ｒ、Ｑ）を介してトレーの内側へ逆Ｔ字状に突設されることを特徴とするトレーである。請求項７の発明は、請求項６の上記特徴に加えて、前記支持片の一つは支持片（７）であり、この支持片（７）は第一片（７１）と第二片（７２）とが交差し、前記第一片（７１）は内側へ向くとともに前記第二片（７２）はこれと直交し、かつ、前記第一片（７１）と前記第二片（７２）とが交差する両側に先端辺（７２１、７２１）を備えることを特徴とするトレーである。請求項８の発明は、請求項６叉は７の上記特徴に加えて、前記第一片（７１）は、前記左右側壁（２、２）に備える折り目（Ｎ）の部位から折れて前記底面（１）側へ傾斜し、かつ、他端は折り目（Ｒ）を備え、この折り目（Ｒ）を介して前記第二片（７２）と連接し、この前記第二片（７２）の他端は前記左右側壁（２、２）に備える折り目（Ｑ）を備え、連接する前記第一片（７１）と前記第二片（７２）は、前記折り目（Ｒ）をトレーの内側へ向けて断面くの字に折れ曲がることを特徴とするトレーである。請求項９の発明は、請求項１又は７の上記特徴に加えて、前記パック（７００）は、前記先端辺（７２１）によって支持されることを特徴とする請求項１又は７記載のトレーである。
【発明の効果】
【０００８】
本発明にかかわる青果等パック用のトレーによれば、箱が１体形、分割形にかかわらず、複数の仕切り区画毎に、パックを受ける各種形状の支持片を形成させることができる。そして、それらの支持片によってパックの周縁を懸架支持し、パックの底を浮かせるようにしたので、トレーの底面に対して直接青果等の重みがかかるのを避けることができ、青果等が押し潰されて傷まないようにする効果を奏するものである。その結果、苺等青果に高級志向、ブランド志向、或いは、差別感をもたらすトレーを提供することができる。
【発明を実施するための最良の形態】
【０００９】
本発明の実施の形態を、添付図面に例示した本発明の実施例に基づいて以下に具体的に説明する。
【実施例１】
【００１０】
先ず、本実施例１ついて、図１〜図８を参照しながら説明する。図１は、本実施例のトレー６００Ａの展開図で、段ボール１００Ａである。図２は、トレー６００Ａ折り上げる途中の状態を示す斜視図である。図３は、トレー６００Ａの十字状の支持片を側壁に係止する直前の状態を示す斜視図である。図４は、折り上がったトレー６００Ａを示す斜視図である。図５は、パック７００の斜視図である。図６は、トレー６００Ａの十字状の支持片部を拡大した斜視図である。図７は、折り上がったトレー６００Ａの１区画に、パック７００を載置した状態を示す平面図である。図８は、パック７００をトレー６００Ａの支持片に載置した状態を拡大した斜視図である。
【００１１】
図１に示す、略矩形状をした段ボール１００Ａにおける一対の前後側壁３、３の方向を上下方向、一対の左右側壁２Ａ、２Ａの方向を左右方向とする。本図はトレー６００Ａの展開図であって、上下および左右対称であり、図の輪郭内の点線は折り目を示し、直線は切れ目を示す。これらのことは実施例２についても同様である。
【００１２】
段ボール１００Ａには、所定の箇所に折り目や切れ目を設けてあり、それらの設け方について以下に説明する。図１（ａ）に示すように、段ボール１００Ａは、中央を占める方形域を底面１とし、その左方は、主折り目Ｍを介して左右側壁２Ａ、２Ａが連接する。これらの中央に、折り上げて二重壁にするための二重折り目Ｎ、Ｎを設け、これらによって挟まれる部位は頂面２３を形成する。そして、この頂面２３上に切れ目ｗと折り目Ｄをセットにして設ける。左方の左右側壁２Ａの折り目Ｎに沿って上下中央部に支持片５を折り目Ｊ、Ｊを介して設ける。また、左方の左右側壁２Ａの上隅に折り目Ｈを介して支持片６を設け、左方の先端辺に係止片２５を設ける。一方、底面１の上方は、主折り目Ｐを介して前後側壁３が連接し、上方辺中央に係止片３１を設ける。底面１の中央に折り目Ｅを上方に向けて台形状の突上げ片１１を設ける。また、上方の前後側壁３は、左方端部の折り目Ｆを介して補助片４Ａと連接し、この補助片４Ａの上端には折り目Ｇを介して、当接片４１、４１を設けている。なお、補助片４Ａには左方先端下部に切欠き状の溝４２を備える。その他、底面１には、主折り目Ｍに沿って孔１２を上下に設ける。次に、図１（ｂ）に支持片５を拡大して示す。支持片５は、第一片５１と第二片５２とが交差して十字状に形成され、第一片５１は左右へ向くとともに第二片５２はこれと直交し上下に向く。第一片５１には折り目Ｎ側の先端辺５１１と反対側の先端辺５１２を備え、かつ、前記第一片５１と第二片５２とが交差する角部に湾曲部５３、５３を備える。そして、第二片５２の左方に折り目Ｊ、Ｊを備える。なお、この支持片５は、図１（ａ）に示す切れ目に沿って切り抜くことによって形成される。即ち、左方の左右側壁２Ａの上下中央部において、支持片５の輪郭は右回りに切れ目ａ、ｃ、ｂ、ｃ、ａ、ｆ、折り目Ｊ、切れ目ｄ、ｅ、ｄ、折り目Ｊ、切れ目ｆによって構成され、支持片５は左右側片２Ａの二重折り目Ｎ寄りの切れ目ｇ、ｈ、ｇ、ａ、ｃ、ｂ、ｃ、ａに沿って切り抜くかれることによって十字状に形成される。
【００１３】
以下にトレーへと折り上げる手順について説明する。底面１を囲むように、一対の左右側壁２Ａ、２Ａ及び一対の前後側壁３を夫々折り目の部位から直立させるようにして折り上げ、途中の状態を図２に示す。底面１から側壁２Ａ、２Ａを直立させる過程で、補助片４は前後側壁３の端部から内側へ直角に折れた状態で左右側壁２Ａ、２Ａの中に挟着される。図２（ａ）では、前後側壁３を底面１から直立させ、一方の左右側壁２Ａ、２Ａの中に補助片４Ａを挟着する前の状態であり、他方の左右側壁２Ａ、２Ａは底面１から直立して中に補助片４Ａ、４Ａを挟んだ三重側壁として形成されている。この状態を反対側からみた斜視図として図２（ｂ）に示す。このように三重に折上げられることによって、左右側壁における上下方向の座屈強度が向上するので、苺等果物が一杯詰まったトレーの多段積み荷重を受けることができる。また、左方の左右側壁２Ａを底面１に向けて二重折り目Ｎ、Ｎの部位から直角に折り曲げる際、四隅の支持片６を折り目Ｈの部位から折り曲げながら、その先端辺６１を前後側壁３に当接させると、本図に示すように支持片６が内側角隅に形成される。そして、内側の左右側壁２Ａの係止片２５が底面１の孔１２に嵌着されることによって左右側壁２Ａ、２Ａが底面１に確実に直立し、次いで、左右側壁２Ａの内側中央部に支持片５が形成される。図２（ｂ）に示すように、内側の左右側壁２Ａの中央部に備える折り目Ｊ、Ｊの部位から内側へ略直角に折り曲げて先端辺５１１を内側へ、奥の先端辺５１２を反対側へ向ける。その拡大した状態を図３に示し、支持片５を折り目Ｊ、Ｊの部位から内側へ折り曲げると、先端辺５１１がトレーの内側へ向き、一方奥の先端辺５１２が三重の左右側壁２Ａの補助片４Ａ、４Ａ側へ向く。内外の左右側壁２Ａ、２Ａの中では挟まれた両側から補助片４Ａ、４Ａが観音扉のように閉じる。このようにして、図４に示すようにトレー６００Ａが完成し、四隅に支持片６、６、６、６及び一対の左右側壁２Ａ、２Ａの内側中央に支持片５、５が突設され、これらの支持片にパックを懸架する。前述したように、左右側壁２Ａ、２Ａの中では補助片４Ａ、４Ａが観音扉が閉じるように両側から閉まり、その合わせ部に溝４２、４２が形成され、ここに支持片５の奥の先端辺５１２が固着され、溝４２の隙間に嵌着される。ここで、トレー６００Ａの一対の前後側壁３方向を前後方向と呼び、一対の左右側壁２Ａ、２Ａの方向を左右方向と呼び、トレー６００Ａは前後左右対称である。そしてトレー６００Ａの底面１と開口方向を上下方向と呼ぶ。これらのことは実施例２についても同様である。
【００１４】
ところで前記したパックとは、図５にパック７００として示すように、底７０１、横縁７０２、隅縁７０３、縦縁７０４および周壁７０５から構成され、苺等青果を詰めするための容器となる。
【００１５】
次に、本実施例の特徴的な構成である十字状の支持片について形成及びその作用を説明する。図４で前述したように、支持片５が左右側壁２Ａ、２Ａに突き刺さるように形成され、その拡大した状態を図６に示す。図ではトレーの内側から見た状態を示し、内側の左右側壁２Ａに備える折り目Ｊ、Ｊの部位から支持片５がトレーの内側へ略直角に折れ曲がり、その先端辺５１１がトレーの内側へ向く。一方、反対側の奥の先端辺５１２が左右側壁２Ａ、２Ａの中の溝４２、４２に突き刺さるようにして嵌着し、十字状に交差する部位のトレーの内側に湾曲部５３、５３が形成される。このように、支持片５は折り目Ｊ、Ｊを梃子の支点として形成される。従って、支持片５の奥の先端辺５１２が溝４２、４２に嵌着されているので、支持片５は折り目Ｊ、Ｊを梃子の支点として手前の先端辺５１１にかかる荷重を支えることができる。
【００１６】
次に、図７にトレー６００Ａの半区画の１つに、パック７００を装着した状態を示す。ここで、パック７００を装着する半区画側をトレー６００Ａの内側と称し、実施例２についても同様である。図５で示したように、パック７００は、底７０１、横縁７０２、隅縁７０３、縦縁７０４等から構成され、図７に示すように、トレーの四隅に形成される支持片６、６、６、６及び一対の左右側壁２Ａ、２Ａの内側へ突き出るように設けられる十字状の支持片５、５によってパック７００を受ける。即ち、トレー６００Ａの後方側において、後方の前後側壁３の内側角隅の支持片６、６によってパック７００の隅縁７０３、７０３を受ける。一方、トレー６００Ａの中央側において、左右の十字状の支持片５、５によってパック７００の隅縁７０３、７０３を受ける。ここで、各支持片における底面１からの高さ寸法は、パックの深さ寸法より大きい。そのため、パックの四箇所の隅縁７０３は、支持片５、５及び支持片６、６の四箇所で支えられながら、パックの底面７０１は、トレー６００Ａの底面１に接触することなく、浮いた状態を保つことができる。なお、底面１の手前側に突き片１１と折れ目Ｅを示し、後側のパック７００の裏側にも図示しないが突き片１１と折れ目Ｅを備える。この突き片１１によって底面１の裏側から折れ目Ｅを支点としてパック７００を指で突き上げ、パックをトレーから取り出す。
【００１７】
パック７００の隅縁部が十字状の支持片５によって支持される状態について、更に詳細を拡大した図８を参照して説明する。十字状の支持片５は折り目Ｊ、Ｊの部位から略直角に折れ曲がって先端辺５１１がトレーの内側へ向き、一方、反対側の奥の先端辺５１２が三重の左右側壁２Ａ、２Ａ内の溝４２、４２に突き刺さるように嵌着され、かつ、十字状に交差する部位に湾曲部５３、５３が形成される。パック７００の隅縁７０３は、支持片５の湾曲部５３によって支持される。パックの四箇所の隅縁７０３は、支持片５、５及び支持片６、６の四箇所で支持されながら、一パックに詰め込まれた苺等青果の重量の例えば２５０グラムをトレーの面から浮いた懸架状態に保つ。また、パック７００の隅縁部において側壁７０５の外周壁が支持片５の湾曲部５３の部位に当接するのでパックの前後の位置が決まる。この結果、トレーの前後を区分けする分割壁が無くてもパックは手前の隣の区画に飛び越え、或いは移動する恐れがない。なお、前述したようにトレーの左上隅では、支持片６は、内側の左右側壁２Ａに備える折り目Ｈの部位から折れ、その先端辺６１が前後側壁３の内側に当接した状態で形成される。パック７００の隅縁７０３は、支持片６によって支持される。
【実施例２】
【００１８】
次に、本実施例２ついて、図９〜図１４を参照しながら説明する。図９は、本実施例のトレー６００Ｂの展開図で、段ボール１００Ｂである。図１０は、トレー６００Ｂを折り上げる途中の状態を示す斜視図である。図１１は、折り上がったトレー６００Ｂを示す斜視図である。図１２は、トレー６００ＢのＴ字状の支持片部を拡大した斜視図である。図１３は、折り上がったトレー６００Ｂの１区画に、パック７００を載置した状態を示す平面図である。図１４は、パック７００をトレー６００Ｂの支持片に載置した状態を拡大した斜視図である。
【００１９】
段ボール１００Ｂには、所定の箇所に折り目や切れ目を設けてあり、それらの設け方について以下に説明する。図９（ａ）に示すように、段ボール１００Ｂは、中央を占める方形域を底面１とし、その左方は、主折り目Ｍを介して左右側壁２Ｂ、２Ｂが連接する。これらの左右側壁の真中に、折り上げて二重壁にするための二重折り目Ｎ、Ｎを設け、これらによって挟まれる部位は頂面２３を形成する。そして、この頂面２３上に切れ目ｗと折り目Ｄをセットで設ける。折り目Ｎの左方の上下中央部に支持片７を設け、左方の左右側壁２Ｂに折り目Ｑを備える。更に、左方の左右側壁２Ｂの上隅に支持片６を折り目Ｈを介して設け、左方の先端辺に係止片２５を設ける。一方、底面１の上方は、主折り目Ｐを介して前後側壁３が連接し、上方中央に係止片３１を設ける。底面１の中央に折り目Ｅを上方に向けて台形状の突上げ片１１を設ける。また、上方の前後側壁３は、左方端部の折り目Ｆを介して補助片４Ｂと連接し、この補助片４Ｂの上端には折り目Ｇを介して、当接片４１、４１を設けている。その他、底面１には、主折り目Ｍに沿って孔１２を設ける。次に、図１（ｂ）に支持片７を拡大して示す。支持片７は、第一片７１が第二片７２の中央部に直角に交わってＴ字状に形成され、第一片７１は左右へ向くとともに第二片７２はこれと直交し上下に向く。第一片７１には折り目Ｎと反対側に折り目Ｒを備える。そして、第二片７２の左方に折り目Ｑを備える。なお、この支持片７は、図９（ａ）に示す切れ目に沿って切り抜くことによって形成される。即ち、左方の左右側片２Ｂの上下中央部において、支持片７の輪郭は右回りに切れ目ｒ、ｕ、ｖ、折り目Ｎ、切れ目ｖ、ｕ、折り目Ｒによって構成され、支持片７は左右側片２Ｂの二重折り目Ｎ寄りの切れ目ｒ、ｔ、ｕに沿って三角状に上下同様に切り抜くことによってＴ字状に形成される。
【００２０】
以下にトレーへと折り上げる手順について説明する。底面１を囲むように、一対の左右側壁２Ｂ、２Ｂ及び一対の前後側壁３、３を夫々折り目の部位から直立させるようにして折り上げる途中の状態を図１０に示す。底面１から側壁２Ｂ、２Ｂを直立させる過程で、補助片４Ｂは前後側壁３の端部から内側へ直角に折れた状態で前記左右側壁２Ｂ、２Ｂの中に挟着される。本図は、前後側壁３、３を底面１から直立させ、一方の左右側壁２Ｂ、２Ｂは中の補助片４Ｂを挟む途中の状態であり、他方の左右側壁２Ｂ、２Ｂは底面１から直立して補助片４Ｂ、４Ｂを挟む三重側壁として形成されている。このように三重に折上げられることによって、左右側壁における上下方向の座屈強度が向上するので苺等果物が一杯詰まったトレーの多段積み荷重を受けることができる。また、二重折り目Ｎ、Ｎの部位から左方の左右側壁２Ｂを底面１に向けて直角に折り曲げる際、四隅の支持片６を折り目Ｈの部位から折り曲げ、先端辺６１を前後側壁３に当接させる。そして、内側の左右側壁２Ｂの係止片２５が底面１の孔１２に嵌着されることによって左右側壁２Ｂ、２Ｂが底面１に直立し、同時に、内側の左右側壁２Ｂの中央部に位置する支持片７が折り目Ｎ、Ｑ、Ｒの部位から折れて断面くの字にトレーの内側へ逆Ｔ字状に突き出るように形成される。このようにして、図１１に示すようにトレー６００Ｂが完成し、四隅に支持片６、６、６、６及び内側の左右側壁２Ｂ、２Ｂの中央に支持片７、７が突設され、これらの支持片にパックを懸架する。
【００２１】
次に、本実施例の特徴的な構成であるＴ字状の支持片についてその形成及び作用を説明する。図１１で前述したように、内側の左右側壁２Ｂに支持片７がトレーの内側へ突き出るように形成され、その拡大した状態を図１２に示す。図ではトレーの内側から見た状態を示し、支持片７の第一片７１が左右側壁２Ｂに備える折り目Ｎの部位からトレーの内側へ折れ曲がり、次いで第一片７１の先端の折り目Ｒの部位から第二片７２が反対側へ折れ曲がり、その奥は内側の左右側壁２Ｂに備える折り目Ｑにつながる。まとめると、支持片７は第一片７１と第二片７２が折り目Ｎ、Ｒ、Ｑを介して折れ、断面がくの字に形成されてトレーの内側へ逆Ｔ字状に突き出る。第一片７１が交わる第二片７２の両側に折り目Ｒを挟むように先端辺７２１、７２１が形成され、また、第一片７１と第二片７２との屈曲部に曲点７２２、７２２が両側に形成される。ここで、折り目Ｑは左右側壁２Ｂを段ボール厚みの半切りにすると、折れ曲がり易いので好ましいが通常の折り目でも構わない。このように、支持片７は、上方で折り目Ｎに支持され、下方は折り目Ｒ、Ｑによって支持される。従って、この段ボールが折れ曲がるリンク機構によって、第二片７２の先端辺７２１にかかる荷重を支えることができる。また、段ボールからトレーへと折り上げる際に、左右側壁２Ｂ、２Ｂを底面１に直立させると同時に、自動的に折れて内側の左右側壁２ＢにＴ字状の支持片７が形成されるのでトレーへと折り上げる作業の能率が向上する。
【００２２】
次に、図１３にトレー６００Ｂの半区画の１つに、パック７００を装着した状態を示す。図５で示したように、パック７００は、底７０１、横縁７０２、隅縁７０３、縦縁７０４等から構成され、図１３に示すように、トレーの四隅に形成される支持片６、６、６、６及び一対の左右側壁２Ｂ、２Ｂの内側に形成される支持片７、７によってパック７００を受ける。即ち、トレー６００Ｂの後方側において、前後側壁３の左右角隅の支持片６、６によってパック７００の隅縁７０３、７０３を受ける。一方、トレー６００Ｂの中央側において、内側の左右側壁２Ｂに形成されたＴ字状の支持片７、７によってパック７００の隅縁７０３、７０３を受ける。ここで、各支持片における底面１からの高さ寸法は、パックの深さ寸法より大きい。そのため、パックの四箇所の隅縁７０３は、支持片７、７及び支持片６、６の四箇所で支えられながら、パックの底面７０１は、トレー６００Ｂの底面１に接触することなく、浮いた状態を保つことができる。
【００２３】
パック７００の隅縁部がＴ字状の支持片７によって支持される状態について、更に詳細を拡大した図１４を参照して説明する。Ｔ字状の支持片７は折り目Ｒの部位からトレーの内側へ断面がくの字状に突き出る。折り目Ｒを挟むように先端辺７２１、７２１が形成され、また、折り目Ｒを挟むように第一片７１と第二片７２の屈曲部に曲点７２２、７２２が形成される。パック７００の隅縁７０３は、支持片７の先端辺７２１によって支持され、トレーの面から浮いた懸架状態に保たれる。この他、パック７００は、隅縁７０３の外周壁が支持片７の曲点７２２の部位に当接するので位置決めされる。この結果、トレーの前後を区画する分割壁が無くてもパックは手前の隣の区画へ飛び越え、或いは移動するようなことが生じない。
【産業上の利用可能性】
【００２４】
本発明の使途は、苺、葡萄、杏子、サクランボ、無花果、枇杷等の青果をパック詰めするトレーに限らず、卵、菓子等の用途に使っても勿論よい。段ボールを使っているが、段ボール以外の各種型紙や、必要に応じてプラスチック等を用いても勿論よい。
【図面の簡単な説明】
【００２５】
【図１】本実施例１のトレー６００Ａの展開図で、段ボール１００Ａである。
【図２】同上、トレー６００Ａを折り上げる途中の状態を示す斜視図である。
【図３】同上、トレー６００Ａの十字状の支持片を側壁に係止する直前の状態を示す斜視図である。
【図４】同上、折り上がったトレー６００Ａを示す斜視図である。
【図５】同上、パック７００の斜視図である。
【図６】同上、トレー６００Ａの十字状の支持片部を拡大した斜視図である。
【図７】同上、折り上がったトレー６００Ａの１区画に、パック７００を載置した状態を示す平面図である。
【図８】同上、パック７００をトレー６００Ａの支持片に載置した状態を拡大した斜視図である。
【図９】本実施例２のトレー６００Ｂの展開図で、段ボール１００Ｂである。
【図１０】同上、トレー６００Ｂを折り上げる途中の状態を示す斜視図である。
【図１１】同上、折り上がったトレー６００Ｂを示す斜視図である。
【図１２】同上、トレー６００ＢのＴ字状の支持片部を拡大した斜視図である。
【図１３】同上、折り上がったトレー６００Ｂの１区画に、パック７００を載置した状態を示す平面図である。
【図１４】同上、パック７００をトレー６００Ｂの支持片に載置した状態を拡大した斜視図である。
【図１５】従来のトレー６００Ｃに、パック７００を載置した状態を示す斜視図である。
【符号の説明】
【００２６】
１００Ａ、１００Ｂ（１００）  段ボール
６００Ａ、６００Ｂ、６００Ｃ（６００）  トレー
７００  パック
７０１  底、７０２  横縁、７０３  隅縁、７０４  縦縁、７０５  周壁
８００  マット    
１  底面、１１突き片、１２  孔
２Ａ、２Ｂ（２）  左右側壁
２３  頂面、２４  突起、２５  係止片
３  前後側壁
３１  係止片
４Ａ、４Ｂ  補助片
４１  当接片、４２  溝
５  支持片
５１  第一片、５１１  先端辺、５１２  先端辺
５２  第二片
５３  湾曲部
６  支持片
６１  先端辺
７  支持片
７１  第一片
７２  第二片、７２１  先端辺、７２２  曲点
１０  分割片
Ｍ、Ｐ  主折り目
Ｎ  二重折り目
Ｄ、Ｅ、Ｆ、Ｇ、Ｈ、Ｊ、Ｎ、Ｑ、Ｒ  折り目
ａ、ｂ、ｃ、ｄ、ｅ、ｆ、ｇ、ｈ、ｋ、ｍ、ｎ、ｐ、ｑ、ｒ、ｓ、ｔ、ｕ、ｖ、ｗ  切れ目
【図１】
2011131925.tif 000003
【図２】
2011131925.tif 000004
【図３】
2011131925.tif 000005
【図４】
2011131925.tif 000006
【図５】
2011131925.tif 000007
【図６】
2011131925.tif 000008
【図７】
2011131925.tif 000009
【図８】
2011131925.tif 000010
【図９】
2011131925.tif 000011
【図１０】
2011131925.tif 000012
【図１１】
2011131925.tif 000013
【図１２】
2011131925.tif 000014
【図１３】
2011131925.tif 000015
【図１４】
2011131925.tif 000016
【図１５】
2011131925.tif 000017